(57)【要約】【課題】珪藻土パネルを組み込むことにより、簡単な構造のもとで効果的に消臭機能や調湿機能を得ることができるほか、揮発性有機化合物の吸着機能をも付与することができる棚板構造の提供。【解決手段】平行に配列される適宜の同一長さの複数本の角柱材１３と、これらの角柱材１３，１３相互の各対向面１３ａ側に各別に突設された水平突片部１５と、該水平突片部１５を介してその両側に各別に弾性支持される珪藻土パネル１６とで棚板本体部１２を形成するとともに、該棚板本体部１２の上下両面および前後両面のそれぞれをパンチングボード２２で覆った。【選択図】図１
2008023075.tif 000002
【特許請求の範囲】
【請求項１】
平行に配列される適宜の同一長さの複数本の角柱材と、これらの角柱材相互の各対向面側に各別に突設された１以上の水平突片部と、該水平突片部の上下両面に弾性緩衝材を介して各別に配設される珪藻土パネルと、最外側に位置する前記珪藻土パネルの前記水平突片部の位置と対向する位置関係にある表出部位に配置される弾性緩衝材とで棚板本体部を構成し、
最外側に位置する前記弾性緩衝材と密接させた配置関係のもとで対面する前記珪藻土パネルとの間に空隙を確保して前記棚板本体部の上下両面を覆うべくパンチングボードを覆設するとともに、前記棚板本体部の前後両面を覆うべくパンチングボードを覆設してその全体を一体化したことを特徴とする棚板構造。
【請求項２】
平行に配列される適宜の同一長さの複数本の角柱材と、これらの角柱材相互間に配設される１枚以上の珪藻土パネルと、該珪藻土パネルの前記角柱材との隣接部位に位置する上下両面に介在配置される弾性緩衝材とで棚板本体部を構成し、
最外側に位置する前記弾性緩衝材と密接させた配置関係のもとで対面する前記珪藻土パネルとの間に空隙を確保して前記棚板本体部の上下両面を覆うべくパンチングボードを覆設するとともに、前記棚板本体部の前後両面を覆うべくパンチングボードを覆設してその全体を一体化したことを特徴とする棚板構造。
【発明の詳細な説明】
【技術分野】
【０００１】
本発明は、調湿機能を付与して博物館や図書館などの書庫等に好適に用いることができる棚板構造に関する技術である。
【背景技術】
【０００２】
通常、棚板に関しては、例えば下記特許文献１に開示されているような本棚に組み込んで用いられるのが一般的である。
【特許文献１】特開２００１−２０４５５７号公報
【０００３】
この場合、棚板は、重量のある書籍を載せても撓むことのない厚さを付与して形成されることが必要にして十分な条件であり、それ以上の機能が求められることはない。
【発明の開示】
【発明が解決しようとする課題】
【０００４】
一方、博物館や資料館や図書館においては、古文書を含む大量の保管書籍から不快臭を発する状況があるにもかかわらず、従来からある本棚ではこれを消臭することができない不都合があった。
【０００５】
また、博物館や資料館や図書館における保管書籍については、紙質の劣化等を防ぐ観点から本棚内の湿度を適度に保たせておくのが好ましいにも拘わらず、簡単な構造のもとで調湿できる手法がないという不具合もあった。
【０００６】
さらには、館内にホルムアルデヒドを含む揮発性有機化合物が存在する場合には、これを吸着処理することができる簡単な手法を用意することができない問題もあった。
【０００７】
本発明は、従来技術にみられた上記課題に鑑み、棚板自体に珪藻土パネルを組み込むことにより、簡単な構造のもとで効果的に消臭機能や調湿機能を得ることができるほか、揮発性有機化合物の吸着機能をも付与することができる棚板構造を提供することを目的とする。
【課題を解決するための手段】
【０００８】
本発明は、上記目的を達成すべくなされたものであり、そのうちの第１の発明は、平行に配列される適宜の同一長さの複数本の角柱材と、これらの角柱材相互の各対向面側に各別に突設された１以上の水平突片部と、該水平突片部の上下両面に弾性緩衝材を介して各別に配設される珪藻土パネルと、最外側に位置する前記珪藻土パネルの前記水平突片部の位置と対向する位置関係にある表出部位に配置される弾性緩衝材とで棚板本体部を構成し、最外側に位置する前記弾性緩衝材と密接させた配置関係のもとで対面する前記珪藻土パネルとの間に空隙を確保して前記棚板本体部の上下両面を覆うべくパンチングボードを覆設するとともに、前記棚板本体部の前後両面を覆うべくパンチングボードを覆設してその全体を一体化したことを最も主要な特徴とする。
【０００９】
また、第２の発明は、平行に配列される適宜の同一長さの複数本の角柱材と、これらの角柱材相互間に配設される１枚以上の珪藻土パネルと、該珪藻土パネルの前記角柱材との隣接部位に位置する上下両面に介在配置される弾性緩衝材とで棚板本体部を構成し、最外側に位置する前記弾性緩衝材と密接させた配置関係のもとで対面する前記珪藻土パネルとの間に空隙を確保して前記棚板本体部の上下両面を覆うべくパンチングボードを覆設するとともに、前記棚板本体部の前後両面を覆うべくパンチングボードを覆設してその全体を一体化したことを最も主要な特徴とする。
【発明の効果】
【００１０】
本発明によれば、珪藻土パネルを組み込んで棚板本体部が形成されているので、消臭機能や調湿機能のほか、揮発性有機化合物の吸着機能をも具備させて博物館や資料館や図書館の書籍用の棚板として好適に用いることができる。
【００１１】
また、棚板本体部の上下両面および前後両面のそれぞれをパンチングボードで覆ってあるので、内蔵されている珪藻土パネルと外気側との間で通気性を確保させることができるほか、棚板として必要な強度をも同時に付与することができる。
【００１２】
特に、第１の発明によれば、珪藻土パネルは、水平突片部を介して独立的に支持させることができるので、より安定的に内蔵させておくことができる。また、第２の発明によれば、水平突片部を用いることなく珪藻土パネルを内蔵させることで、その全体構造を簡素化してコスト低減に有効に寄与させることができる。
【発明を実施するための最良の形態】
【００１３】
図１は、本発明のうちの第１の発明の一例を分解してその一部を省略して示す斜視図である。図２は、図１の要部を拡大して示す説明図であり、図３は、図１に示す例の組み立て時の状態を示す斜視図である。
【００１４】
これらの図によれば、幅が９００ｍｍで奥行きが２１０ｍｍなど、所望に応じた適宜の面サイズを備える棚板１１は、珪藻土パネル１６を内蔵させた棚板本体部１２と、珪藻土パネル１６と外気側との間で通気性を確保させ、かつ、必要な全体強度を付与するパンチングボード２２と構成されている。
【００１５】
このうち、棚板本体部１２は、平行に配列される適宜の同一長さの複数本の角柱材１３と、これらの角柱材１３，１３相互の各対向面１３ａ側に各別に突設された水平突片部１５と、該水平突片部１５の上下両面に弾性緩衝材１７を介して各別に配設される珪藻土パネル１６と、各珪藻土パネル１６の水平突片部１５の位置と対向する位置関係にある表出部位に配置される弾性緩衝材１７とで構成されている。
【００１６】
この場合、角柱材１３は、例えば縦２５ｍｍ×横３０ｍｍ×長さ２１０ｍｍなど、必要とする適宜サイズの角柱木材を用いて形成されている。また、角柱材１３の対向面１３ａの縦高さ方向でので中央部位には、その長さ方向に沿わせて溝幅が略４ｍｍ程度で溝深さが２０ｍｍ程度の溝部１４が形成されており、該溝部１４内にその一部を接着剤を用いるなどして固定させて、略１０ｍｍ程度の突出長を有する木材や合成樹脂剤や金属材を含む適宜の素材からなる水平突片部１５が配設されている。
【００１７】
角柱材１３，１３相互の離間間隔は、珪藻土パネル１６の面サイズとの関係で定まることになり、例えば珪藻土パネル１６の横幅が１５ｃｍであればこれよりもやや長い間隔を確保して平行に配列されることになる。
【００１８】
型取りされた粘土状の珪藻土を乾燥・固化して形成される５ｍｍ程度の厚さの珪藻土パネル１６は、このようにして配列された角柱材１３，１３相互間にそれぞれの水平突片部１５を介してその上下に各別に配設される。この場合、水平突片部１５の上下両面と各珪藻土パネル１６との間には、硬質ウレタンフォームやシリコーンゴムなどからなる弾性緩衝材１７が各別に介在配置されることになる。
【００１９】
また、弾性緩衝材１７は、珪藻土パネル１６の水平突片部１５の位置と対向する位置関係にある表出部位にも配置され、これにより、後述するパンチングボード２２との間に空隙１８を確保して棚板本体部１２が構成されることになる。
【００２０】
合板や金属板などからなるパネル材２３に多数の通孔２４を穿設してなる厚さが４ｍｍ程度のパンチングボード２２は、棚板本体部１２の上下両面および前後両面のそれぞれを覆うために用いられることから、その面サイズも棚板本体部１２の個々の覆設面の面サイズとの関係で定まることになる。
【００２１】
また、棚板本体部１２の上下両面をパンチングボード２２を接着剤により接合固着するなどして覆設する際には、珪藻土パネル１６の水平突片部１５の位置と対向する位置関係にある表出部位にも弾性緩衝材１７が配置されているので、該弾性緩衝材１７と密接させた配置関係のもとで覆われることになる。さらに、棚板本体部１２は、その前後両面も接着剤により接合固着するなどしてパンチングボード２２で覆われ、その全体が棚板１１として一体化されることになる。なお、最外側に位置する角柱材１３の各外側面１３ｂは、見栄えをよくする観点から適宜の化粧板２６を覆設しておくこともできる。
【００２２】
このようにして棚板本他支部１２とパンチングボード２２とを一体化して形成される棚板１１は、パンチングボード２２の通孔２４を介して内蔵されている珪藻土パネル１６と外気側との間で通気性を確実に確保することができるほか、重量のある書籍を載せても撓まない程度の強度を備えることになる。
【００２３】
図４は、第１の発明の他例を示す要部拡大断面図である。この例においては、角柱材１３の対向面１３ａに上下２列となった水平突片部１５が突設されており、弾性緩衝材１７を介して計３枚の珪素土パネル１６が配設されている点で図１に示す例とは異なっているのみであり、他の対応構造は同一であるので、その詳細な説明は省略する。なお、珪素土パネル１６は、水平突片部１５の設置数に応じてその枚数を増加させて配設することもできる。
【００２４】
図５は、本発明のうち、第２の発明の一例を示す要部拡大断面図である。同図によれば、棚板本体部１２は、平行に配列される適宜の同一長さの複数本の角柱材１３と、これらの角柱材１３，１３相互間に配設される２枚の珪藻土パネル１６と、該珪藻土パネル１６の角柱材１３との隣接部位に位置する上下両面に介在配置される硬質ウレタンフォームやシリコーンゴムなどからなる弾性緩衝材１７とで構成されている。
【００２５】
このような構成からなる棚板本体部１２に対しては、最外側に位置する弾性緩衝材１７と密接させた配置関係のもとで、対面する珪藻土パネル１６との間に空隙１８を確保してその上下両面にパンチングボード２２が接着剤により接合固着するなどして覆設される。
【００２６】
また、棚板本体部１２は、その前後両面もパンチングボード２２を接着剤により接合固着するなどして覆設されて一体化されることで、棚板１１が形成されることになる。なお、２枚の珪藻土パネル１６を用いた例により第２の発明を説明してあるが、必要により１枚の珪藻土パネル１６を用いて棚板１１を形成したり、３枚以上の珪藻土パネル１６を用いて棚板１１を形成することもできる。また、棚板１１には、第１の発明と同様に最外側に位置する角柱材１３の各外側面１３ｂに適宜の化粧板２６を覆設して見栄えをよくすることもできる。
【００２７】
次に、本発明の作用・効果を図１〜図３に示す第１の発明を例に説明すれば、棚板１１は、水平突片部１５をスペーサとすることで確保される空隙１８を介在させて２層化配置した珪藻土パネル１６を備えているので、広い有効面積を確保して該珪藻土パネル１６の消臭機能や調湿機能、さらには揮発性有機化合物の吸着機能を十分に発揮させることができる。
【００２８】
また、２層化配置された珪藻土パネル１６は、水平突片部１５との間、およびパンチングボード２２との間のそれぞれにに性緩衝材１７を各別に介在させることで弾性支持されているので、がたつきをなくして安定的に配置しておくことができる。
【００２９】
しかも、棚板１１は、２層化配置された珪藻土パネル１６を組み込んで棚板本体部１２を形成し、該棚板本体部１２の上下両面および前後両面のそれぞれをパンチングボード２２で覆ってあるので、珪藻土パネル１６と博物館や資料館や図書館などの館内空気との間に通気性を確保させてやることができる。
【００３０】
このため、博物館や資料館や図書館の書籍用の棚板１１として用いる場合には、珪藻土パネル１６自体が備える消臭機能や調湿機能のほか、揮発性有機化合物の吸着機能をも効果的に発揮させることができる。
【００３１】
したがって、博物館や資料館や図書館においては、古文書を含む大量の保管書籍が不快臭を発することがあっても、これを効率よく消臭することができる。
【００３２】
また、博物館や資料館や図書館における保管書籍については、書庫内に棚板１１を組み込むことで、内部の湿度を適度に保たせることにより紙質の劣化等を確実に防ぐことができる調湿機能を発揮させることことができる。
【００３３】
さらに、博物館や資料館や図書館などの館内にホルムアルデヒドを含む揮発性有機化合物が存在することがあっても、棚板１１が備える藻土パネル１６により効果的に吸着処理させることができる。
【００３４】
しかも、棚板１１は、棚板本体部１２の上下両面および前後両面のそれぞれをパンチングボード２２で覆って形成されているので、棚板材として必要な強度も保持させることができる。
【００３５】
以上は、本発明を図示例に基づいて説明したものであり、その具体的な内容は、本発明の要旨を逸脱しない限り、種々の変形を加えることができる。例えば、棚板１１自体の横幅は、角柱材の使用本数を増やしたり減らしたりすることで、所望に応じた長さのものとすることができる。また、珪藻土パネル１６は、１層で構成したり、３層以上に構成することもできる。さらに、角柱材１３は、金属製の角パイプであってもよい。
【産業上の利用可能性】
【００３６】
本発明は、博物館や資料館や図書館の書籍用の棚板として用いることを例に説明してあるが、必要により一般家庭における書庫や本棚の棚板として利用することもできる。
【図面の簡単な説明】
【００３７】
【図１】第１の発明の一例を分解してその一部を省略して示す斜視図。
【図２】図１の要部を拡大して示す説明図。
【図３】図１に示す例の組み立て時の状態を示す斜視図。
【図４】第１の発明の他例を示す要部拡大断面図。
【図５】第２の発明の一例を示す要部拡大断面図。
【符号の説明】
【００３８】
１１  棚板
１２  棚板本体部
１３  角柱材
１３ａ  対向面
１３ｂ  外側面
１４  溝部
１５  水平突片部
１６  珪藻土パネル
１７  弾性緩衝材
１８  空隙
２２  パンチングボード
２３  パネル材
２４  通孔
２６  化粧板
【図１】
2008023075.tif 000003
【図２】
2008023075.tif 000004
【図３】
2008023075.tif 000005
【図４】
2008023075.tif 000006
【図５】
2008023075.tif 000007